(57)【要約】【課題】簡易な構成で、十分な反射減衰量を得ることができる信頼性の高い光フィルタ付光デバイス、光レセプタクルおよび受光モジュールを提供すること。【解決手段】内孔の軸方向と直交する方向に対し、一端面が傾斜した傾斜部を有するフェルールと、フェルールの内孔に挿入された光ファイバと、特定波長帯域の光を選択的に透過するフィルタ膜を有し、前記フェルールの一端面に開口する内孔を塞ぐように、前記フィルタ膜が前記フェルールの傾斜部に臨む面に接合された光フィルタと、を設け、光ファイバを、シングルモードファイバとグレーデッドインデックスファイバとを接合して形成し、グレーデッドインデックスファイバを光フィルタ側に配する。【選択図】図１
2009205105.tif 000002
【特許請求の範囲】
【請求項１】
内孔の軸方向と直交する方向に対し、一端面が傾斜した傾斜部を有するフェルールと、
前記フェルールの内孔に挿入された光ファイバと、
特定波長帯域の光を選択的に透過するフィルタ膜を有し、前記フェルールの一端面に開口する内孔を塞ぐように、前記フィルタ膜が前記フェルールの傾斜部に臨む面に接合された光フィルタと、を備え、
前記光ファイバは、シングルモードファイバとグレーデッドインデックスファイバとが接合されてなり、前記グレーデッドインデックスファイバが、前記光フィルタ側に配されていることを特徴とする光フィルタ付き光デバイス。
【請求項２】
前記フェルールの端面が、前記傾斜部に対して所定角度で交差する面をさらに有することを特徴とする請求項１記載の光フィルタ付き光デバイス。
【請求項３】
前記光フィルタは、前記フェルールの傾斜部に、光学接着剤を介して接合され、
当該光学接着剤の熱膨張係数は、前記光フィルタの主要部を構成する透光性支持体および前記フェルールのそれと略同じ、またはそれらの熱膨張係数の間にあることを特徴とする請求項１記載の光フィルタ付き光デバイス。
【請求項４】
前記光ファイバは、前記光フィルタ側に、前記グレーデッドインデックスファイバと接合されたコアレスファイバがさらに配されていることを特徴とする請求項１〜３のいずれかに記載の光フィルタ付き光デバイス。
【請求項５】
請求項１〜４のいずれかに記載のフィルタ付き光デバイスと、
前記フェルールの一端を保持する嵌合孔を有する有底筒状のホルダと、
前記フェルールの他端に挿入されたスリーブと、
前記スリーブを収容する収納孔を有し、一端が前記ホルダに固定される筒状のスリーブケースと、
を備える光レセプタクル。
【請求項６】
請求項５に記載の光レセプタクルと、
前記光ファイバおよび前記光フィルタを介して光を受ける受光素子と、
前記光レセプタクルの前記ホルダに接合され、かつ前記受光素子を収容する筒体と、
を備える受光モジュール。
【発明の詳細な説明】
【技術分野】
【０００１】
本発明は、光通信に使用される光デバイス、およびこれを用いた光レセプタクル、並びに受光モジュールに関する。
【背景技術】
【０００２】
受発信装置間で光通信を行う際において、多重信号の中で特定波長の信号のみが必要とされる場合には、送られてくる多重信号から必要な光信号のみを選択的に透過するバンドパスフィルタ（以下、単にフィルタともいう）が必要となる。このようなフィルタを備える光学部品として、例えばフィルタを、光ファイバが内蔵されたコネクタフェルールの端面に貼り付けて構成されたものがある。
【０００３】
図８は、従来のフィルタ付き光コネクタ１００の概略図である。光コネクタフェルール１０２は円筒状をなし、その軸心に設けられた光ファイバ挿入孔に、光ファイバ１０１が挿嵌されている。光ファイバ１０１は接着剤によりコネクタフェルール１０２に固定され、光コネクタフェルール１０２と光ファイバ１０１の一端面は軸心に垂直な面に対して所定の角度で傾斜して形成されており、その傾斜面に接着剤１０４によって光フィルタ１０３が接着固定されている。
【０００４】
この光フィルタ１０３は、透明ガラス基板の一側面に誘電体多層膜フィルタを蒸着形成させた干渉フィルタであって、例えば、波長λ１などの光信号は透過させるが、波長λ２、λ３の光信号は反射させるという選択透過性を有する。
【０００５】
このようなフィルタ付き光コネクタを使用すると、光ファイバ１０１を伝播してくる波長λ１、λ２、λ３の光多重信号は、コネクタフェルール１０２の端面に接着固定された光フィルタ１０３により、選択的に透過され、受信装置側が必要とする波長λ１の光信号だけが受信装置側に伝播されることになる。
【特許文献１】特開平２−１９５３０６号公報
【発明の開示】
【発明が解決しようとする課題】
【０００６】
しかしながら、上述の光フィルタ付き光コネクタでは、透過が阻止される波長λ３の光はフィルタ膜により反射されるため、その反射光が光ファイバに入射され、反射戻り光となって光ファイバを伝播し、反射減衰量が低下するという問題があった。一般に、このような反射戻り光を低減するために、光フィルタを光軸に垂直な面に対して所定の角度で傾斜させ配置しているが、反射戻り光はフェルールの端面でさらに反射し、その一部が反射戻り光となり、このような光フィルタ付き光コネクタでは十分な反射減衰量を得ることができないという問題があった。
【０００７】
特に、この光ファイバとして、光伝送用として一般的なシングルモードファイバを用いる場合、反射光の光ファイバへの入射角を大きくしないと、十分な反射減衰量を得ることができないという課題があった。一方で、この入射角度を実現するために、光フィルタの傾斜角度を大きくすると、フェルールの端面での反射が増し、反射戻り光が増大する場合があった。
【０００８】
本発明は、叙上に鑑みてなされたものであり、その目的とするところは、簡易な構成で、十分な反射減衰量を得ることができる信頼性の高い光フィルタ付光デバイス、光レセプタクルおよび受光モジュールを提供することにある。
【課題を解決するための手段】
【０００９】
本発明者らは、上記課題に鑑み鋭意研究を重ねた結果、光フィルタにおいてフィルタ膜の配置を変更するとともに、グレーデッドインデックスファイバを光フィルタ側に配することにより反射戻り光を劇的に抑制することができることを見出した。
【００１０】
したがって、内孔の軸方向と直交する方向に対し、一端面が傾斜した傾斜部を有するフェルールと、前記フェルールの内孔に挿入された光ファイバと、特定波長帯域の光を選択的に透過するフィルタ膜を有し、前記フェルールの一端面に開口する内孔を塞ぐように、前記フィルタ膜が前記フェルールの傾斜部に臨む面に接合された光フィルタと、を備え、前記光ファイバは、シングルモードファイバとグレーデッドインデックスファイバとが接合されてなり、前記グレーデッドインデックスファイバが、前記光フィルタ側に配されていることを特徴とする。
【００１１】
また、上記構成において、上記フェルールの端面が、上記傾斜部に対して所定角度で交差する面をさらに有することを特徴とする。上記のような構成とすることにより、光ファイバから放出された光が、フィルタ膜と、傾斜部に対して所定角度で交差する面との間で反射され、受光素子側への光の進行が防止される。
【００１２】
また、上記構成において、前記光フィルタは、前記ファイバスタブの一端面に、光の透過率が高い光学接着剤を介して接合され、当該光学接着剤の熱膨張係数は、前記光フィルタの主要部を構成する透光性支持体および上記フェルールのそれと略同じ、またはそれらの熱膨張係数の間にあることを特徴とする。光学接着剤の熱膨張係数を上述のように設定することにより、光フィルタ膜への熱応力の影響を小さくすることができ、温度変化によるフィルタ特性変動を小さくすることすることができる。
【００１３】
また、上記構成において、前記光ファイバは、前記光フィルタ側に、前記グレーデッドインデックスファイバと接合されたコアレスファイバがさらに配されていることを特徴とする。
【００１４】
また、本発明に係る光レセプタクルは、上記いずれかのフィルタ付き光デバイスと、前記フェルールの一端を保持する嵌合孔を有する有底筒状のホルダと、前記フェルールの他端に挿入されたスリーブと、前記スリーブを収容する収納孔を有し、一端が前記ホルダに固定される筒状のスリーブケースと、を備えることを特徴とする。
【００１５】
さらに、本発明に係る受光モジュールは、上述の光レセプタクルと、前記光ファイバおよび前記光フィルタを介して光を受ける受光素子と、前記光レセプタクルの上記ホルダに接合され、かつ前記受光素子を収容する筒体と、を備えることを特徴とする。
【発明の効果】
【００１６】
本発明の光フィルタ付き光デバイスによれば、光フィルタの、傾斜部に臨む面、すなわち、光フィルタの、フェルールと対向する面にフィルタ膜が配され、かつ光ファイバが光フィルタ側にグレーデッドインデックスファイバを備えているため、光ファイバの開口数ＮＡを小さくすることができるため、反射戻り光が光ファイバに結合しにくくなる。その結果、本発明の光フィルタ付き光デバイスでは、反射光の光ファイバへの入射角が小さくても十分な反射減衰量が得られるため、フェルールの端面での反射も低減できる。
【００１７】
したがって、本発明によれば、簡易な構成で、十分な反射減衰量を得ることができる信頼性の高い光フィルタ付光デバイス、光レセプタクルおよび受光モジュールを提供することができる。
【発明を実施するための最良の形態】
【００１８】
本発明に係る光フィルタ付き光デバイス１は、図１に示すように、内孔２１と端面２２とを有し、端面２２が、傾斜した傾斜部２３を有するフェルール５と、前記フェルール５の内孔２１に挿入された光ファイバ４と、特定波長帯域の光を選択的に透過するフィルタ膜６ｂを有し、前記フェルール５の傾斜部２３に接合された光フィルタ６と、を備え、上記光フィルタ６の、傾斜部２３に臨む面６ａ’にフィルタ膜６ｂが形成されている。さらに、光フィルタ付き光デバイス１において、光ファイバ４は、シングルモードファイバ（ＳＭファイバ）９’とグレーデッドインデックスファイバ（ＧＩファイバ）９”とが接合されてなり、ＧＩファイバ９”が光フィルタ６側に配されている。
【００１９】
以下、図面を参照しながら、本発明に係る光フィルタ付き光デバイス１に関して詳細に説明する。しかしながら、以下に示す実施の形態は、本発明を例示するものであって、本発明はこれに限定されるものではない。なお、各図において、共通する部分、部材については同一の符号を付し重複した説明を省略する。
【００２０】
(実施の形態１)
図２（ａ）は、本発明の実施の形態１に係る光フィルタ付き光デバイス１（以下、光デバイス１とする）の断面図である。本発明の実施の形態１に係る光デバイス１は、光ファイバ４を挿通するための内孔２１を有し、さらに端面２２が、傾斜した傾斜部２３を有する円筒状のフェルール５と、フェルール５の内孔２１に挿入された光ファイバ４と、フェルール５の傾斜部２３に接合されたバンドパスフィルタ（以下、光フィルタと称する）６と、光フィルタ６を接合するための光学接着剤７と、を備える。光ファイバ４がフェルール５の内孔に挿入され接着されてファイバスタブが形成されている。ファイバスタブの一端面（フェルール５の一端面）は、その軸心、言い換えれば、内孔２１の軸方向に垂直な方向に対してある所定の角度で傾斜して形成されている。したがって、本実施の形態１では、フェルール５の傾斜部２３も光ファイバ４の端面も所定の角度で傾斜している。光フィルタ６は、フェルール５の傾斜した傾斜部２３、すなわちファイバスタブの一端面に光学接着剤７によって接着固定されている。そして、光ファイバ４は、シングルモードファイバ（ＳＭファイバ）９’とグレーデッドインデックスファイバ（ＧＩファイバ）９”とが接合されてなり、ＧＩファイバ９”が、光フィルタ６側に配されている。
フィルタ膜６ｂは、光フィルタ６の、フェルール５の傾斜部２３に臨む面６ａ’に形成されている。
【００２１】
図２（ｂ）はフィルタ膜配置が光デバイス１と異なる光デバイス１００の構成を示す断面図である。フィルタ膜６ｂは、光フィルタ６の、フェルール５の傾斜部２３と反対側の面６ａ”に形成されていると、図２（ｂ）に示すように、光ファイバ４のコア部３を伝播した光の一部（透過を阻止された特定波長の光）は、光学接着剤７、および光フィルタ６の主要部を構成する透光性支持体６ａを透過した後、光フィルタ６の面６ａ”に形成されたフィルタ膜６ｂにより反射される。その反射光の一部は、フェルール５の傾斜部２３により反射され、その後上記フィルタ膜６と光ファイバ外周のフェルール５の傾斜部２３との間で繰り返し反射された後、受光素子側へ進行し、透過を阻止すべき特定波長の光が受光素子に受光されてしまう。しかしながら、図２（ａ）に示すように、本実施の形態に係る光デバイス１では、フィルタ膜６ｂが、光フィルタ６の、フェルール５の傾斜部２３に臨む面６ａ’に形成され、フェルール５の傾斜部２３により近い位置に配置されているため、光ファイバ４のコア部３を伝播しフィルタ膜６ｂに反射された光は、ほとんど光ファイバ４のクラッド２に入射される。そのため、クラッド２に入射された光は逆伝播中に次第に減衰されることにより、当該光デバイスの反射減衰量特性が向上する。さらに、本実施の形態に係る光デバイス１では、光ファイバ４を、ＳＭファイバ９’とＧＩファイバ９”とを接合したものとし、かつＧＩファイバ９”を、光フィルタ６側に配することにより、フェルール端面での反射を防ぐことができ、かつ、ＧＩファイバレンズのレンズ効果により、反射戻り光のコア部３に結合する光量を少なくすることができる。
【００２２】
図３は、光デバイス１の光フィルタ入射角に対する反射減衰量を示している。●は、フィルタ膜が、光フィルタ６の面６ａ’に形成された本実施の形態に係る光デバイス１についてのものであり、□は、フィルタ膜が、光フィルタ６の、フェルールの傾斜部と反対側の面６ａ”に形成されている光デバイス１００についてのものである。光デバイス１００においては、光フィルタに対する入射角度が１．２°〜２．５°の場合では、反射減衰量が３５ｄＢ程度で略一定となるが、本実施の形態の光デバイス１では、比例的に増加し、従来型の光デバイスを用いた場合より高い反射減衰量を得ることができる。したがって、フェルールの傾斜部の傾斜が通常の範囲（０°より大きく３°以下）である場合は、光デバイスの反射減衰特性が特段に向上する。
【００２３】
光ファイバ４のシングルモードファイバ９’は、屈折率の高いコア部３とコア部３の外周を被覆するクラッド部２とからなり、コア部３とクラッド部２との屈折率差による光閉じ込めを利用することによってコア部３内で光を伝送させる光導波体である。シングルモードファイバ９’は、例えば円柱状の石英等から構成され、クラッド部２の外径は１２５μｍ、コア部３の径は１０μｍ程度である。
【００２４】
光ファイバ４のＧＩファイバ９”は、その軸対称にほぼ２乗の屈折率分布を備える光ファイバであり、屈折率分布ファイバとも呼ばれるものである。ＧＩファイバ９”は、屈折率分布型レンズとして使用することができるため、シングルモードファイバ９’から出射する円錐状に放射する光をコリメートする機能を有する。ＧＩファイバ９”は、たとえば円柱状の石英等から構成され、クラッド部２の外径は１２５μｍ、コア部３の径は５０〜１２０μｍ程度であり、コア部３に上述の屈折率分布を有する。そして、ＧＩファイバ９”とシングルモードファイバ９’は、たとえば熱による融着によって接合されることにより光ファイバ４を構成している。このような熱による融着接合は、シングルモードファイバファイバ９’、ＧＩファイバ９”の境界面に屈折率が変化するものを介在させることなく接合できるため、光の損失を低減するという観点から好適である。なお、シングルモードファイバ９’とＧＩファイバ９”の接合は、融着による接合に限られることなく、たとえば接着剤によって接合してもよい。
【００２５】
フェルール５は、光ファイバ４および光フィルタ６を保持する機能を担う。フェルール５は、円筒状を成しており、構成する材料としては、酸化ジルコニウム（ジルコニア）、酸化アルミニウム（アルミナ）、ムライト、窒化ケイ素、炭化ケイ素および窒化アルミニウムなどの単体もしくはこれらを主成分として含むセラミックス、燐青銅、ベリリウム銅、黄銅、ステンレスなどの金属、結晶化ガラスなどのガラスセラミックス、エポキシや液晶ポリマなどのプラスチックなどが挙げられ、中でも耐候性、靭性に優れたジルコニア系セラミックス（ジルコニアを主成分とするセラミックス）が好適である。ジルコニア系セラミックスの中でも、とりわけ、酸化ジルコニウム（ＺｒＯ２）を主成分とし、Ｙ２Ｏ３、ＣａＯ、ＭｇＯ、ＣｅＯ２、Ｄｙ２Ｏ３などからなる群より選択される少なくとも一種を安定化剤として含む部分安定ジルコニアセラミックス（正方晶の結晶が主体）が、耐摩耗性および弾性変形性の観点からより好ましい材料として挙げられる。
【００２６】
フェルール５は、略中央部に設けられた内孔２１内に接着剤を介して光ファイバ４が固定されている。また、フェルール５のＧＩファイバ９”側の端面は、フェルール５の軸方向（内孔の軸方向）に直交する方向に対して、所定の角度を成して傾斜しており、その傾斜部２３に光学接着剤７によって、内孔２１の開口部を塞ぐように、光フィルタ６が接着固定されている。
【００２７】
光フィルタ６は、光入射面６ａ’および光出射面６ａ”を有する平板状の例えば透光性支持体６ａを含んでなり、その光出射面６ａ’にフィルタ膜６ｂが施されて構成されている。フィルタ膜６ｂは異なる複数の波長領域の光を含んでなる光から特定の波長領域を選択的に透過する機能を有する、いわゆるバンドパスフィルタである。
【００２８】
この光フィルタ６の一部を構成する透光性支持体６ａは、例えば光学ガラス（硼珪酸ガラスや白板ガラス）や石英ガラスからなり、屈折率は１．４５〜１．６５程のものが用いられる。また、透光性支持体６ａの大きさは、光の有効径以上あればよく、例えば０．５ｍｍ角程度の平板状の基板である。光フィルタ６の端面に形成されたフィルタ膜６ｂは、例えば二酸化ケイ素と二酸化チタン等の屈折率の異なる２種類以上の誘電体を交互に積層して構成される多層膜である。この誘電体多層膜は、誘電体膜間の繰り返し反射干渉により波長選択性を示し、その膜厚は、反射させる光の波長の１／４波長分の倍数になるように設定される。すなわち、高・低屈折率のペアで１／２波長となるように多層化することにより、各誘電体膜界面における多重反射において、ある特定の波長の光の位相が一致し、干渉して強めあうことで波長選択制を有するフィルタとすることができる。そして、光フィルタ６では、フィルタ膜６ｂが透光性支持体６ａの表面に形成されているが、例えば透光性支持体６ａの光入射面６ａ’に蒸着、スパッタリング等の方法によってフィルタ膜６ｂを容易に作成することができる。また、光フィルタ６は、光の透過および反射波長の領域が０．５〜１００ｎｍの範囲を有するフィルタとして機能するようにフィルタ膜６ｂが施されており、そのフィルタ膜６ｂにおける誘電体多層膜の積層数は１００〜２５０層程度である。
【００２９】
光フィルタ６は、フィルタ膜６ｂが配された透光性支持体６ａの光出射面６ａ”が、フェルールの内孔２１の軸方向と直交する方向に対して±３°の範囲で傾斜するように配置することが好ましい。また、光フィルタ６は、上記入射角度が０度の場合には、反射波長の光が直接光ファイバ４に戻る可能性が高まるため、その影響に鑑みると、角度を０度以外で３度以下となるように設定するほうが、入射角度依存性の低減および反射戻り光の防止という観点からより望ましい。なお、角度とは、透光性支持体６ａの光出射面６ａ’とフェルール５の内孔２１の軸方向と直交する方向との成す角度であるが、透光性支持体６ａの光入射面と光出射面とが互いに平行であれば、光入射面、またはフェルールの一端面とフェルールの貫通孔の軸方向と直交する方向との成す角度であってもよい。
【００３０】
光学接着剤７は、たとえば透光性のあるエポキシ樹脂等からなり、光の透過率が、厚み０．１ｍｍの接着厚みで９０％以上、より好ましくは９５％以上、さらに好ましくは９９％以上であるとよい
【００３１】
以上のように、本発明の実施の形態１に係る光デバイス１によれば、光フィルタ６の、傾斜部２３に臨む面６ａ’、すなわち、光フィルタ６の、フェルール５と対向する面６ａ’にフィルタ膜６ｂが配されたことにより、反射戻り光は、光ファイバ４のクラッドに入射され、クラッドを伝播中に次第に減衰するため、反射減衰特性を向上させることができる。
【００３２】
(実施の形態２)
次に、本発明の実施の形態２に係る光デバイス１’について、図４を参照しつつ説明する。実施の形態２に係る光デバイス１’は、フェルール５の端面２２が切り欠かれて、傾斜部２３に対して所定角度で交差する面（交差面）２４をさらに有する点で、フェルール５の端面２２が交差面２４を有しない本実施の形態１の光デバイス１と相違する。その他の構成については、実施の形態１に係る構成部材と同様である。
【００３３】
図４は、本発明の実施の形態２に係る光デバイス１’を示す断面図である。
本実施の形態２に係る光デバイス１’では、円筒状のフェルール５の端面２２が、傾斜部２３に対して所定角度で交差する面（交差面）２４をさらに有する。交差面２４は、光ファイバ４を切断しないように形成されていることが好ましい。特に、交差面２４は、図４に示すように、光ファイバ４の下端、言い換えれば、内孔２１の光フィルタ６側の縁部に接するように形成されていれば、反射戻り光を交差面２４で反射させやすくなるため、より反射減衰特性を向上させることができる。また、交差面２４は、フェルール５の軸方向と垂直な方向に対して０°より大きく１０°以下で傾斜していれば、反射減衰特性を高めつつ、光フィルタ６のフェルール５に対する接着強度を維持できる。
【００３４】
光フィルタ６は、フェルール５の傾斜した傾斜部２３と平行に光学接着剤７によって接着固定される。交差面２４と光フィルタ６のフィルタ膜６ｂとの間にスペースが形成され、このスペースにも光学接着剤７が配される。このスペースには、必ずしも、光学接着剤７が配されていなくともよいが、光フィルタ６をフェルール５に強く固定するというか観点から、このスペースには光学接着剤７が配されていたほうがよい。
上記のような構成とすることにより、光ファイバ４から放出された光が、フィルタ膜６ｂと、上述のように切り欠かれたフェルールの交差面２４との間で反射され、受光素子（不図示）側への光の進行をより低減できる。
したがって、本実施の形態２に係る光デバイス１’では、実施の形態１に係る光デバイス１よりも、さらに反射減衰特性を向上させることができる。
【００３５】
(実施の形態３)
次に、本発明の実施の形態３に係る光デバイス１’’について、図５を参照しつつ説明する。図５は本発明の実施の形態３に係る光デバイス１’’を示す断面図である。
【００３６】
本実施の形態３に係る光デバイス１’’では、ＧＩファイバ９”の、透光性支持体６ａの光入射面６ａ’に臨む端部に、コアレスファイバ９'''が接合されている点で、第１の実施形態に係る光デバイス１の構成と相違する。
本実施の形態３においては、光ファイバ４は、シングルモードファイバ９’とグレーデッドインデックスファイバ９”とコアレスファイバ９'''とが当該順序で接合されてなり、コアレスファイバ９'''が、光フィルタ６側に配されている。コアレスファイバ９'''は単一の屈折率を持つＧＩファイバ９”とほぼ同径の石英からなる。フェルール５の一端面にはコアレスファイバ９'''が露出しており、フェルール５とコアレスファイバ９'''は同時に端面を研磨加工されており、所望の端面角度となるように加工されている。このようにフェルール５の端面側にコアレスファイバ９'''を配置することにより、端面研磨の際、レンズ効果のあるＧＩファイバ９”の長さを変えることなく研磨が可能となり、あらかじめ設計したＧＩファイバ９”の長さを保持できるため、設計の容易性という点で好適である。ここで、コアレスファイバ９'''はその外径が光ファイバと同じく１２５μｍ、そして、ＧＩファイバ９”とシングルモードファイバ９’の場合と同じく、熱による融着によって接合される。
【００３７】
(実施の形態４)
本発明の実施の形態４に係る光レセプタクル１０について図面を参照しつつ詳細に説明する。図６は、本発明の実施の形態４に係る光レセプタクル１０を説明する模式図である。
【００３８】
本発明の実施の形態４に係る光レセプタクル１０は、図６に示すように、ファイバスタブ１４と、フェルール５の一端を保持する嵌合孔を有する有底筒状のホルダ１１と、フェルール５の他端に挿入されたスリーブ１２と、スリーブ１２を収容する収納孔を有し、一端がホルダ１１に固定される筒状のスリーブケース１３と、によって構成されている。
【００３９】
本実施の形態４に係る光レセプタクル１０において、ファイバスタブ１４は、例えば、ジルコニア、アルミナ等のセラミック材料からなるフェルール５と、該フェルール５の内孔２１に石英ガラス等からなるシングルモードファイバ９’の一端に同じく石英ガラス等からなるＧＩファイバ９”が接合されて成る光ファイバ４を挿入固定して得られ、そのファイバスタブ１４の後端部を金属製のホルダ１１に圧入して固定するために、ホルダ１１のファイバスタブ１４が挿入される箇所の内径ｄは、ファイバスタブ１４の外径Ｄより僅かに小さく制作される。一方、ファイバスタブ１４の先端部は、スリーブ１２の内孔に挿入され、そのスリーブ１２を保護するためのスリーブケース１３がホルダ１１に圧入または接着により固定されている。さらに、ファイバスタブ１４の後端部（ＧＩファイバ端）には光学部品である光フィルタ６が接着固定されている。ファイバスタブ１４の後端部（ＧＩファイバ端）は、ファイバスタブ１４の光学軸に対して±３°（０°を除く）で傾斜する傾斜面とすることが好ましい。例えば発光素子（ＬＥＤやＬＤなど）からプラグフェルール１８を介して入射された光のうち特定波長の光が光フィルタ６で反射されるが、上述のように傾斜面とすることで、その反射光が、再びプラグフェルール１８を介して発光素子に戻るのを防ぐことができる。
【００４０】
以下、図７の本発明の受光モジュールを用いて、光レセプタクル１０の効果を説明する。ファイバスタブ１４の光ファイバ４と、プラグフェルール１８の光ファイバ１９とは光学的に接続される。ここで、ファイバスタブ１４の先端面およびプラグフェルール１８の先端面は、アール面（例えば曲率半径が５〜３０ｍｍ）であることが好ましい。このようにアール面とすることにより、光ファイバ１９とプラグフェルール１８と接続した際、接続損失を低減することができる。
【００４１】
スリーブ１２は、ファイバスタブ１４およびプラグフェルール１８が挿入される貫通孔を有し、ファイバスタブ１４の光ファイバの光軸と、プラグフェルール１８の光ファイバの光軸とを一致させる機能を担う部材である。このスリーブ１２の貫通孔には、一方の開放端からファイバスタブ１４が挿入され、他方の開放端からプラグフェルール１８が挿入される。
【００４２】
本発明において、スリーブ１２として、長手方向に延びるスリット（図示せず）を有する、いわゆる割りスリーブを用いることができる。このような割りスリーブを採用する場合、スリーブ１２内に挿入されるプラグフェルール１８に対する把持力を高めるべく、貫通孔の孔径はプラグフェルール１８の外径より若干小さく（例えば、貫通孔へのファイバスタブ１４の挿入時にファイバスタブ１４に作用する圧力が０．９８Ｎ以上となるように）設定することが好ましい。
【００４３】
また、スリーブ１２として、割りスリーブではなく、いわゆる精密スリーブ（スリット無し）を採用することもできる。このスリーブ１２を構成する材料としては、上述したプラグフェルール１８と同様のものが挙げられる。
【００４４】
スリーブケース１３は、スリーブ１２を収容するための収納孔を有する略円筒形状の筒状部材であり、プラグフェルール１８が挿入される開口部と、ホルダ１１に接合するための接合部とを有する。スリーブケース１３におけるスリーブ１２を収容するための空間（収納孔）の径は、スリーブ１２の外径より若干（例えば６０μｍ）大きく構成されている。また、開口部は、プラグフェルール１８の挿入時にプラグフェルール１８を案内するための部位であり、テーパ状に構成されている。開口部における開口端径はプラグフェルール１８の外径より若干（例えば０．２ｍｍ）大きく構成されている。接合部は、上述したように、ホルダ１１に接合するための部位である。
【００４５】
スリーブケース１３を構成する材料としては、合成樹脂（熱可塑性樹脂および熱硬化性樹脂など）、金属（ステンレス、銅、鉄およびニッケルなど）、セラミックス（酸化アルミニウム（アルミナ）および酸化ジルコニウム（ジルコニア）など）、ガラス（石英など）などが挙げられる。この中でも、ホルダ１１との固定を考慮し、熱膨張係数を合わせて信頼性を高めるため、ホルダ１１同様、ステンレスを用いるのが好ましい。
【００４６】
このようにして、ファイバスタブ１４が、ホルダ１１の保持部（嵌合孔）によって保持され、スリーブケース１３がスリーブ保持部によって保持され、受光モジュールを構成する際、ホルダ１１に光素子を含むサブモジュールが接続される。
【００４７】
ホルダ１１を構成する材料としては、ステンレス、銅、鉄およびニッケルなどが挙げられ、中でもＹＡＧ溶接性に優れているＳＵＳ３０４やＳＦ２０Ｔ等のステンレス材料が好適である。
【００４８】
(実施の形態５)
次に、本発明の実施の形態５に係る受光モジュール２０について図面を参照しつつ説明する。図７は、本発明の一実施形態である受光モジュール２０を説明する模式図である。
【００４９】
受光モジュール２０は、実施の形態４に係る光レセプタクル１０と、その後端面側に、光素子１５とレンズ１６を備えた金属製の筐体１７とを有し、光レセプタクル１０の後端面側に、筐体１７を溶接により接合することにより構成されている。以上のように構成された受光モジュール２０において、光レセプタクル１０の前端面側（光フィルタ６が配置される端面の反対側）より、スリーブ１２の内孔にプラグフェルール１８を挿入し、光ファイバ１９の端面を当接させる。
【００５０】
プラグフェルール１８は、光ファイバ１９を保護するとともに、後述するスリーブ１２と協働してファイバスタブ１４の中心軸とプラグフェルール１８の中心軸とを一致させるための部材である。プラグフェルール１８を構成する材料としては、酸化ジルコニウム（ジルコニア）、酸化アルミニウム（アルミナ）、ムライト、窒化ケイ素、炭化ケイ素および窒化アルミニウムなどの単体もしくはこれらを主成分として含むセラミックス、結晶化ガラスなどのガラスセラミックス、燐青銅、ベリリウム銅、黄銅、ステンレスなどの金属、エポキシや液晶ポリマなどのプラスチックなどが挙げられ、中でも耐候性、靭性に優れたジルコニア系セラミックス（ジルコニアを主成分とするセラミックス）が好適である。ジルコニア系セラミックスの中でも、とりわけ、酸化ジルコニウム（ＺｒＯ２）を主成分とし、Ｙ２Ｏ３、ＣａＯ、ＭｇＯ、ＣｅＯ２、Ｄｙ２Ｏ３などからなる群より選択される少なくとも一種を安定化剤として含む部分安定ジルコニアセラミックス（正方晶の結晶が主体）が、耐摩耗性および弾性変形性の観点からより好ましい材料として挙げられる。
【００５１】
光ファイバ１９は、光を伝播させるためのものであり、光ファイバ１９としては、石英系光ファイバ、プラスチック系光ファイバおよび多成分ガラス系光ファイバなどが挙げられる。
【００５２】
次に、受光モジュール２０の機能について説明する。まず、外部から伝送ファイバによって伝送された波長多重信号光λ１、λ２、λ３は、プラグフェルール１８の光ファイバに入射され、その後、レセプタクル１０が備える光デバイス１の光ファイバ４に入射される。光ファイバ４に入射された光は、光フィルタ６のバンドパスフィルタ機能によって特定の波長の光λ１が透過し、その他の波長の光は反射し除去される。透過した波長の光λ１がレンズ１６を介して光素子１５に集光し、もとの電気信号に変換される。このように、この受光モジュール２０では、本発明のフィルタ付き光デバイス（本実施の形態ではスタブ）を用いることにより、ある特定の情報のみを取り出して受光検出できる利点がある。
【図面の簡単な説明】
【００５３】
【図１】本発明の実施の形態１に係る光フィルタ付き光デバイスを示す断面図である。
【図２】図２（ａ）および（ｂ）は、フィルタ膜の配置による本発明の作用効果を説明するための図である。
【図３】図３は、本発明の作用効果を説明するための説明図である。
【図４】図４は、本発明の実施の形態２に係るフィルタ付き光デバイスを示す断面図である。
【図５】図５は、本発明の実施の形態３に係る光フィルタ付き光デバイスを示す断面図である。
【図６】本発明の光レセプタクルを示す断面図である。
【図７】本発明の受光モジュールを示す断面図である。
【図８】従来の光フィルタ付き光デバイスを示す断面図である。
【符号の説明】
【００５４】
１、１’、１’’、１００  光フィルタ付き光デバイス
２  クラッド
３  コア
４、１９  光ファイバ
５  フェルール
６  光フィルタ
６ａ  透光性支持体
６ｂ  フィルタ膜
７  光学接着剤
９’’’  コアレスファイバ
９”グレーティッドインデックスファイバ（ＧＩファイバ）
９’シングルモードファイバ（ＳＭファイバ）
１０  光レセプタクル
１２  スリーブ
１４  ファイバスタブ
１５  光素子
１６  レンズ
１７  筐体
１８  プラグフェルール
２０  受光モジュール
【図１】
2009205105.tif 000003
【図２】
2009205105.tif 000004
【図３】
2009205105.tif 000005
【図４】
2009205105.tif 000006
【図５】
2009205105.tif 000007
【図６】
2009205105.tif 000008
【図７】
2009205105.tif 000009
【図８】
2009205105.tif 000010